(57)【要約】【課題】制御装置本体からハーネスの距離を保ち、ノイズの影響を受けにくくすると共に、振動による位置ずれ影響を受けない、作業性が良く、且つ省スペースのノイズ対策を講じる。【解決の手段】  筐体と、前記筐体に内包された洗濯槽と、前記洗濯槽を回転させるモータと、前記モータを制御する制御装置と、前記制御装置の本体を内装する保護ケースと、前記制御装置の本体に対し、ハーネスが配線されている状態で、前記保護ケースに対し前記ハーネスの経路上に前記保護ケースの一部として、ノイズ吸収装置内蔵のハーネス支持部を設け、前記制御装置本体から前記ハーネスの距離を一定間隔空けたことを特徴とする洗濯機。【選択図】図５
2018157957.tif 000002
【特許請求の範囲】
【請求項１】
筐体と、
前記筐体に内包された洗濯槽と、
前記洗濯槽を回転させるモータと、
前記モータを制御する制御装置と、
前記制御装置の本体を内装する保護ケースと、
前記制御装置の本体に対し、ハーネスが配線されている状態で、前記保護ケースに対し前記ハーネスの経路上に前記保護ケースの一部として、ノイズ吸収装置内蔵のハーネス支持部を設け、前記制御装置本体から前記ハーネスの距離を一定間隔空けたことを特徴とする洗濯機。
【請求項２】
請求項１に記載の洗濯機において、
前記保護ケースにおける前記ノイズ吸収装置を支持部ごと前記保護ケースに着脱可能な構造とされていることを特徴とする洗濯機。
【請求項３】
請求項１に記載の洗濯機において、
前記保護ケースにおける前記ノイズ吸収装置を支持する構造を有することを特徴とする洗濯機。
【請求項４】
請求項１に記載の洗濯機において、
ノイズ発信側のハーネス、ノイズ受信側のハーネスに別々の配線経路を備えることを特徴とする洗濯機。
【発明の詳細な説明】
【技術分野】
【０００１】
本発明は、制御装置本体を内装する保護ケースにおけるノイズ対策に関するものである。
【背景技術】
【０００２】
洗濯機には運転を制御する制御装置本体と、前記制御装置本体を内装する保護ケースと、前記保護ケース上面に取り付けられ前記制御装置本体を覆う保護カバーが備えられており、前記制御装置本体に対し、ＡＣ電源ハーネス及び、モータやヒータなどの負荷に接続するためのハーネス、また、水位センサや温度センサといったセンサに接続するためのハーネスが配線されている。制御装置本体はノイズの発生源となり、ハーネスに対してノイズの影響を与えることがある。そのため参考文献１のようにハーネスを制御装置本体から離す対策が行われている。しかし、物理的にハーネスと制御装置本体間の距離を保つだけではノイズ対策は不十分であり、ノイズ吸収装置を付けて対策を講じている。洗濯機では洗濯工程や脱水工程においてモータ回転による大きな振動を伴い、ノイズ吸収装置の固定が必要であり、結束バンドでの固定や、文献２のように制御装置本体に直接固定するようなものが提案されている。
【先行技術文献】
【特許文献】
【０００３】
【特許文献１】特開２０００-２４４１７２
【特許文献２】特開２０１３-２５４７６２
【発明の概要】
【発明が解決しようとする課題】
【０００４】
しかし、多機能・小型化が進んでいる洗濯機において、円形のノイズ吸収装置に柔軟なハーネスを巻いたものを部品が混雑している制御装置本体内外に結束バンドで手作業設置するのは作業性が悪い場合がある。また、制御装置本体内に直接固定する方法では前述したように多機能・小型化が進んでいる中でスペースを用意する必要があり、限られたスペース内でのノイズ対策としては不十分である。
【０００５】
そこで本発明は、前記制御装置本体から前記ハーネスの距離を保ち、ノイズの影響を受けにくくすると共に、振動による位置ずれ影響を受けない、作業性が良く、且つ省スペースのノイズ対策が可能な洗濯機を提供することを目的とする。
【課題を解決するための手段】
【０００６】
本発明は、上記目的を達成するために、筐体と、前記筐体に内包された洗濯槽と、前記洗濯槽を回転させるモータと、前記モータを制御する制御装置と、前記制御装置の本体を内装する保護ケースと、前記制御装置の本体に対し、ハーネスが配線されている状態で、前記保護ケースに対し前記ハーネスの経路上に前記保護ケースの一部として、ノイズ吸収装置内蔵のハーネス支持部を設け、前記制御装置本体から前記ハーネスの距離を一定間隔空けたことを特徴とする洗濯機。
【発明の効果】
【０００７】
本発明によって、前記制御装置本体から前記ハーネスの距離を保ち、ノイズの影響を受けにくくすると共に、振動による位置ずれ影響を受けない、作業性が良く、且つ省スペースのノイズ対策が可能な洗濯機を提供できる。
【図面の簡単な説明】
【０００８】
【図１】本実施例における洗濯機の本体斜視図。
【図２】同洗濯機の内部構造を示す斜視図。
【図３】同洗濯機の制御装置の構成図。
【図４】ハーネスの配線レイアウト図。
【図５】ノイズ吸収装置付近の配線レイアウト拡大図。
【図６】ノイズ吸収装置付近の配線レイアウト拡大図。
【発明を実施するための形態】
【０００９】
以下、本発明の実施形態について適宜図面を参照しながら説明する。なお、以下では、洗濯から乾燥までの工程を行うことができるドラム式洗濯機（以下、洗濯機と表記する）を例に挙げて説明する。また、この実施形態によって本発明が限定されるものではない。
【００１０】
図１に示すような回転ドラム１に衣類を収納し、操作パネル２よりユーザが洗濯方法を選択し、前記回転ドラム１の軸上にあるメインモータ(図示せず)を駆動し洗濯、乾燥を行う。
【００１１】
図２において、洗濯機は乾燥のために温風を生成するためのヒータ（図示せず）と温風を送る送風ファンユニット３を設置しており、送風ファンユニット３の吐出口（図示せず）に、温風ダクト４、ベローズ５、温風吹出しノズル６が順に接続され、生成した温風を送風ファンユニット３から外槽９に送る構造となっている。
【００１２】
また、洗濯機は循環ポンプＰと循環ホースＨ１、Ｈ２を備え、外層９内の貯留水を循環させ、外槽カバー８の上部に設けた散水口（図示せず）により、洗濯物の上部に循環ポンプＰにより汲み上げた洗浄水を散水する構造となっている。これにより、外槽９内に水を溜め、循環ポンプＰを動作させることで、新たに水道水を給水することなく、洗浄水を洗濯物に散水することができる。制御装置１０（後述する）のメインモータなどの種々の制御を行う
また、これらの送風ファンユニット３及び循環ポンプＰは洗濯機本体下部に設置された制御装置７によって制御されている。
【００１３】
以上のように構成された、循環ポンプと乾燥用の送風ファンユニットを備えた洗濯機における実施形態について以下その動作を説明する。また、この実施形態はドラム式洗濯機だけでなく縦型洗濯機においても適用可能である。
【００１４】
図３に示す様に、制御装置１０のパワー回路ブロック１５、およびモータ制御用半導体(図示せず)上面に取り付けられた放熱板１４等を積載した制御装置本体１３は、保護ケース１２と保護ケース１２に取り付けられた金属ケース１１と保護カバー１７が構成する箱状内方に覆い隠すように収められている。
【００１５】
前記保護カバー１７には、冷却ファン１６により空気を循環するための多数の長径穴１８と、冷却ファン１６に取り付けのための穴１９が設けられ、冷却ファン１６はブラケット（図示せず）とねじ（図示せず）により保護カバー１７の穴１９に固定される。
【００１６】
冷却ファン１６の風向は、制御装置本体１３に装着した放熱板（ヒートシンク）１４にその風が当たるように指向している。
【００１７】
図４ではハーネスの配線レイアウトについて示す。前記制御装置本体１３に接続されたハーネスは用途や種類によって配線レイアウトが異なり、水位センサや温度センサといった弱電系のハーネスは束ねられハーネス束２０として保護ケース１２の下部開口部より保護ケース１２の外に配線される。一方で強電系のＡＣ電源ハーネス２１は保護ケース１２の側面の内側を這わせるようし、保護ケース１２の上部開口部より保護ケース１２外に配線する。ＡＣ電源ハーネス２１の経路付近の制御装置本体１３からはノイズが放射されているためノイズ対策をとる必要がある。
【００１８】
配線のイメージ拡大図を図５に示す。ＡＣ電源ハーネス２１は開いた状態のノイズ吸収装置２２の溝部に乗せ、配線をしていく。保護ケース１２の上部開口部にもノイズ吸収装置２３を内蔵しており、ＡＣ電源ハーネスを外に配線する際にノイズ吸収装置２３の溝部に乗せる。配線経路が確保できたら図６に示すように側面のノイズ吸収装置２２及び上部開口部のノイズ吸収装置２３を閉じる。
【００１９】
これによりＡＣ電源ハーネス２１を制御装置本体１３に近づけることなく配線し、ノイズを受けにくくでき、さらに簡単な作業で制御装置本体１３のスペースを占領することなくノイズ吸収装置を装着することを実現した。
【００２０】
なお、本実施形態ではＡＣ電源ハーネス２１と制御装置本体１３を保護ケース１２に内蔵したノイズ吸収装置２２、２３によってノイズ耐性を向上しているが、ハーネスと制御装置本体１３を保護ケース１２に内蔵のノイズ吸収装置によって物理的に離し、ノイズを吸収することによるノイズ耐性向上であれば、ハーネスの種類や、強電弱電の違いは限定されるものではない。
【００２１】
また、ノイズ吸収装置の種類、大きさもノイズに応じて適宜決定される。さらに、本実施形態では保護ケース１３のノイズ吸収装置を一定間隔で設け、開口部まで内蔵させたが、対象のハーネスを弛ませることなく制御装置本体１３とハーネスの高さｈを一定に保持できるものであれば保護ケース１３のノイズ保護装置の内蔵位置や数量は、保護ケースの形状に応じて適宜決定される。
【００２２】
ノイズ吸収装置に巻くハーネスのターン数は本実施例では１ターンであったがノイズに応じて適宜決定される。
【００２３】
また、本実施例では、ドラム式洗濯乾燥機について説明したが、乾燥機能を有しないドラム式洗濯機や、縦型洗濯機あるいは洗濯乾燥機であっても同様である。
【符号の説明】
【００２４】
１    回転ドラム
２    操作パネル
３    送風ファンユニット
４    温風ダクト
５    ベローズ
６    温風吹出しノズル
８    外槽カバー
９    外槽
１０  制御装置
１１  金属ケース
１２  保護ケース
１３  制御装置本体
１４  放熱板
１５  パワー回路ブロック
１６  冷却ファン
１７  保護カバー
１８  長径穴
１９  冷却ファン取り付け穴
２０  弱電系ハーネス束
２１  ＡＣ電源ハーネス
２２  保護ケース側面内側のノイズ吸収装置
２３  保護ケース開口部のノイズ吸収装置
Ｐ    循環ポンプ
Ｈ１、Ｈ２  循環ホース  
【図１】
2018157957.tif 000003
【図２】
2018157957.tif 000004
【図３】
2018157957.tif 000005
【図４】
2018157957.tif 000006
【図５】
2018157957.tif 000007
【図６】
2018157957.tif 000008